(57)【要約】【課題】米飯の腐敗及び保温による食味劣化を効果的に低減させることのできるジャー炊飯器を提供することを目的とする。【解決手段】炊飯器の本体１の内部に収納され、上部開口が蓋３で開閉される鍋２と、上記鍋を加熱する鍋加熱手段４と、上記鍋の温度を検知する鍋温度検知センサ５と、上記鍋加熱手段の鍋加熱動作を制御する加熱制御部６と、米の炊飯に関する炊飯情報が入力される炊飯情報入力部２９ａとを備え、保温工程は、通常保温温度である第１保温温度と、上記第１保温温度より低温の第２保温温度と、上記第１保温温度より高温の第３保温温度からなり、保温開始後、少なくとも一度は、上記第２保温温度で米飯を保温してから、上記第３保温温度に移行して米飯を保温する第１保温モードを有し、炊飯開始前に上記炊飯情報入力部により入力された上記炊飯情報に応じて第３保温温度を可変させるようにした。【選択図】図１
2010082302.tif 000002
【特許請求の範囲】
【請求項１】
炊飯器本体の内部に収納され、米飯を収容可能な鍋と、上記鍋の上部開口部を覆う開閉自在な蓋と、上記鍋を加熱する鍋加熱手段と、上記鍋の温度を検知する鍋温度検知センサと、上記鍋加熱手段の鍋加熱動作を制御する加熱制御部と、米の炊飯に関する炊飯情報が入力される炊飯情報入力部とを備え、保温工程は、通常保温温度である第１保温温度と、上記第１保温温度より低温の第２保温温度と、上記第１保温温度より高温の第３保温温度からなり、保温開始後、少なくとも一度は、上記第２保温温度で米飯を保温してから、上記第３保温温度に移行して米飯を保温する第１保温モードを有し、炊飯開始前に上記炊飯情報入力部により入力された上記炊飯情報に応じて第３保温温度を可変させることを特徴とするジャー炊飯器。
【請求項２】
炊飯情報には、米の米種情報、米の新米度情報、米の組織の硬さ情報、及び予備浸水情報のうち、少なくとも１つの情報が含まれることを特徴とする請求項１に記載のジャー炊飯器。
【請求項３】
炊飯器本体の内部に収納され、米飯を収容可能な鍋と、上記鍋の上部開口部を覆う開閉自在な蓋と、上記鍋を加熱する鍋加熱手段と、上記鍋の温度を検知する鍋温度検知センサと、上記鍋加熱手段の鍋加熱動作を制御する加熱制御部とを備え、保温工程は、通常保温温度である第１保温温度と、上記第１保温温度より低温の第２保温温度と、上記第１保温温度より高温の第３保温温度からなり、保温開始後、少なくとも一度は、上記第２保温温度で米飯を保温してから、上記第３保温温度に移行して米飯を保温する第１保温モードを有し、上記鍋加熱手段による鍋加熱動作開始時に上記鍋温度検知センサより検知された鍋温度に応じて第３保温温度を可変させることを特徴とするジャー炊飯器。
【請求項４】
炊飯器本体の内部に収納され、米飯を収容可能な鍋と、上記鍋の上部開口部を覆う開閉自在な蓋と、上記鍋を加熱する鍋加熱手段と、上記鍋の温度を検知する鍋温度検知センサと、上記鍋加熱手段の鍋加熱動作を制御する加熱制御部と、炊飯中の上記米飯の炊飯量を判定する炊飯量判定部とを備え、保温工程は、通常保温温度である第１保温温度と、上記第１保温温度より低温の第２保温温度と、上記第１保温温度より高温の第３保温温度からなり、保温開始後、少なくとも一度は、上記第２保温温度で米飯を保温してから、上記第３保温温度に移行して米飯を保温する第１保温モードを有し、上記炊飯量判定部が判定した炊飯量に応じて第３保温温度を可変させることを特徴とするジャー炊飯器。
【請求項５】
蓋の開閉を検知する蓋開閉検知部を備え、保温開始後、少なくとも一度は、第２保温温度で米飯を保温してから、第３保温温度に移行して米飯を保温する第１保温モードと、上記第３保温温度のみを上記第１保温モードより低くした第２保温モードとを有し、保温開始前に選択された保温モードが上記第２保温モードであり、且つ上記蓋開閉検知部が上記蓋が開けられたことを検知したとき、上記第１保温モードに自動的に切り替えることを特徴とする請求項１〜４いずれか１項記載のジャー炊飯器。
【発明の詳細な説明】
【技術分野】
【０００１】
本発明は、保温機能を有するジャー炊飯器に関するものである。
【背景技術】
【０００２】
従来、この種のジャー炊飯器においては、炊飯された米飯は一定温度で保温されるようになっていた。例えば、その保温温度は、低いと米飯が腐敗してしまうため、米飯の腐敗を防ぎ、米飯の温熱感を保って食味の劣化を少なくすると言われている約７０℃〜７４℃の範囲で設定されていた。
【０００３】
しかしながら、上記構成のジャー炊飯器においては、保温温度が比較的高温のため、実際は、長時間保温すると、米飯が黄（褐）変したり、独特の臭気を発したり、粘りや弾力性等の食味物性が低下するといった問題点がある。
【０００４】
そこで、通常保温温度（例えば７０℃〜７４℃の範囲内の温度）と、通常保温温度より保温温度が高い高温保温温度（例えば７５℃〜９５℃の範囲内の温度）と、通常保温温度よりも保温温度が低い低温保温温度（例えば５５℃〜６９℃の範囲内の温度）との３水準の保温温度を有し、それらの保温温度を一定時間毎に切り替えるサイクル加熱を行うことで、上記課題を解決するものが提案されている（例えば、特許文献１参照）。
【０００５】
また、低温保温温度と高温保温温度とを交互に一定時間繰り返した後、通常保温温度に移行する保温モードと、通常保温温度のみからなる保温モードとを、使用者に選択可能にすることで、米飯の腐敗及び保温による食味劣化を効果的に低減させるものも見受けられる（例えば、特許文献２参照）。
【特許文献１】特開平７−２９８９８３号公報
【特許文献２】特開平８−１１７０９８号公報
【発明の開示】
【発明が解決しようとする課題】
【０００６】
米は、白米や玄米等の米種や、収穫からの経過期間による新米度、「コシヒカリ」や「あきたこまち」等の銘柄などによって異なる組織の硬さなどにより、保温時の性能（黄変、白化等）に、ばらつきがある。このため、米飯の腐敗及び保温による食味劣化をさらに効果的に防ぐためには、炊飯する米の保温時の性能を正確に把握し、その性能に応じた保温温度で保温する必要がある。
【０００７】
しかしながら、前記従来のジャー炊飯器では、通常保温温度、高温保温温度、低温保温温度は、炊飯する米の保温時の性能によらず、同様に設定されているため、米飯の腐敗及び保温による食味劣化の低減効果は不十分であった。
【０００８】
本発明は上記のような問題を解決するためになされたものであって、米飯の腐敗及び保温による食味劣化をさらに効果的に低減させることのできるジャー炊飯器を提供することを目的とするものである。
【課題を解決するための手段】
【０００９】
上記課題を解決するために本発明のジャー炊飯器は、炊飯器本体の内部に収納され、米飯を収容可能な鍋と、上記鍋の上部開口部を覆う開閉自在な蓋と、上記鍋を加熱する鍋加熱手段と、上記鍋の温度を検知する鍋温度検知センサと、上記鍋加熱手段の鍋加熱動作を制御する加熱制御部と、米の炊飯に関する炊飯情報が入力される炊飯情報入力部とを備え
、保温工程は、通常保温温度である第１保温温度と、上記第１保温温度より低温の第２保温温度と、上記第１保温温度より高温の第３保温温度からなり、保温開始後、少なくとも一度は、上記第２保温温度で米飯を保温してから、上記第３保温温度に移行して米飯を保温する第１保温モードを有し、炊飯開始前に上記炊飯情報入力部により入力された上記炊飯情報に応じて第３保温温度を可変させるようにしたものである。
【００１０】
これにより、炊飯する米の保温時の性能に応じて、米飯の腐敗及び保温による食味劣化をさらに効果的に低減させることができるものである。
【発明の効果】
【００１１】
本発明のジャー炊飯器によれば、炊飯開始前に入力された炊飯情報に応じて、それに適した第３保温温度にて保温が実施されるため、炊飯する米の保温時の性能に応じて、米飯の腐敗及び保温による食味劣化をさらに効果的に低減させることができる。
【発明を実施するための最良の形態】
【００１２】
第１の発明は、炊飯器本体の内部に収納され、米飯を収容可能な鍋と、上記鍋の上部開口部を覆う開閉自在な蓋と、上記鍋を加熱する鍋加熱手段と、上記鍋の温度を検知する鍋温度検知センサと、上記鍋加熱手段の鍋加熱動作を制御する加熱制御部と、米の炊飯に関する炊飯情報が入力される炊飯情報入力部とを備え、保温工程は、通常保温温度である第１保温温度と、上記第１保温温度より低温の第２保温温度と、上記第１保温温度より高温の第３保温温度からなり、保温開始後、少なくとも一度は、上記第２保温温度で米飯を保温してから、上記第３保温温度に移行して米飯を保温する第１保温モードを有し、炊飯開始前に上記炊飯情報入力部により入力された上記炊飯情報に応じて第３保温温度を可変させるようにしたものである。
【００１３】
これにより、炊飯する米の保温時の性能に応じて、米飯の腐敗及び保温による食味劣化をさらに効果的に低減させることができることとなる。
【００１４】
第２の発明は、前記第１の発明において、炊飯情報には、米の米種情報、米の新米度情報、米の組織の硬さ情報、及び予備浸水情報のうち、少なくとも１つの情報が含まれるものである。
【００１５】
第３の発明は、炊飯器本体の内部に収納され、米飯を収容可能な鍋と、上記鍋の上部開口部を覆う開閉自在な蓋と、上記鍋を加熱する鍋加熱手段と、上記鍋の温度を検知する鍋温度検知センサと、上記鍋加熱手段の鍋加熱動作を制御する加熱制御部とを備え、保温工程は、通常保温温度である第１保温温度と、上記第１保温温度より低温の第２保温温度と、上記第１保温温度より高温の第３保温温度からなり、保温開始後、少なくとも一度は、上記第２保温温度で米飯を保温してから、上記第３保温温度に移行して米飯を保温する第１保温モードを有し、上記鍋加熱手段による鍋加熱動作開始時に上記鍋温度検知センサより検知された鍋温度に応じて第３保温温度を可変させるようにしたもので、第４の発明は、炊飯器本体の内部に収納され、米飯を収容可能な鍋と、上記鍋の上部開口部を覆う開閉自在な蓋と、上記鍋を加熱する鍋加熱手段と、上記鍋の温度を検知する鍋温度検知センサと、上記鍋加熱手段の鍋加熱動作を制御する加熱制御部と、炊飯中の上記米飯の炊飯量を判定する炊飯量判定部とを備え、保温工程は、通常保温温度である第１保温温度と、上記第１保温温度より低温の第２保温温度と、上記第１保温温度より高温の第３保温温度からなり、保温開始後、少なくとも一度は、上記第２保温温度で米飯を保温してから、上記第３保温温度に移行して米飯を保温する第１保温モードを有し、上記炊飯量判定部が判定した炊飯量に応じて第３保温温度を可変させるようにしたものであって、いずれの場合にも、炊飯する米の保温時の性能に応じて、米飯の腐敗及び保温による食味劣化をさらに効果的に低減させることができることとなる。
【００１６】
第５の発明は、前記第１〜４のいずれか一つの発明において、蓋の開閉を検知する蓋開閉検知部を備え、保温開始後、少なくとも一度は、第２保温温度で米飯を保温してから、第３保温温度に移行して米飯を保温する第１保温モードと、上記第３保温温度のみを上記第１保温モードより低くした第２保温モードとを有し、保温開始前に選択された保温モードが上記第２保温モードであり、且つ上記蓋開閉検知部が上記蓋が開けられたことを検知したとき、上記第１保温モードに自動的に切り替えるようにしたものである。
【００１７】
以下本発明の実施の形態を図面を参照しつつ説明する。なお、以下の実施の形態によって本発明が限定されるものではない。
【００１８】
（実施の形態１）
図１〜図４は実施の形態１を示し、炊飯器における本体１には、着脱可能に収納され、米飯を収容可能な鍋２と、この鍋２の上部開口部を覆うように本体１に開閉自在に取り付けられた蓋３と、鍋２、及び蓋加熱用の加熱ユニット４と、鍋２の底面中央部に外接して、その温度を検知する鍋温度センサ５と、前記蓋３の内部に配置され、鍋温度センサ５の検知温度に基づいて、前記加熱ユニット４の鍋加熱動作を制御するとともに、前記蓋４の内部に配した加熱制御部６と連係する制御部７を具備するものである。
【００１９】
本体１の上部開口の周囲に嵌められて取り付けられたリング状の上枠８は、鍋収納部を形成する有底円筒形状のコイルベース９の上端部を固定しており、このコイルベース９の外周面、外底面には、鍋２の外周面、外底面と対向するように誘導加熱用の底内コイル１０、底外コイル１１、及び側面コイル１２が設置されている。
【００２０】
底内コイル１０は鍋２の底部２ａと、底外コイル１１は鍋２の側底部２ｂと、側面コイル１２は鍋２の側部２ｃとそれぞれ対向するように配置されている。
【００２１】
先の加熱ユニット４は、底内コイル１０、底外コイル１１、側面コイル１２と、後述する蓋コイル１３とにより構成されている。
【００２２】
そして、これら底内コイル１０、底外コイル１１、側面コイル１２、及び蓋コイル１３に高周波電流を通電すれば、鍋２などが誘導加熱（発熱）するようにしてある。
【００２３】
この加熱制御部７の下方には、その発熱部品１４を冷却するためのヒートシンク１５が設置され、さらに、このヒートシンク１５の下方には冷却用ファンモータ１６が設けられている。
【００２４】
冷却用ファンモータ１６のコイルベース９との対向面は、同コイルベース９の形状に沿うように傾斜している。
【００２５】
蓋３は、合成樹脂から形成された外蓋部１７と、この外蓋部１７の内側に嵌められて取り付けられている内蓋部１８と、内蓋部１８の下面に着脱可能に取り付けられることで、蓋３の下面を構成する発熱板１９とを有している。
【００２６】
内蓋部１８の上面には、前記発熱板１９を誘導加熱するためのリング状の蓋コイル１３が設置されている。
【００２７】
蓋３は、内蓋部１８の一部に設けられたヒンジ軸３ａを本体１の上枠８の一部に一体形成されたヒンジ部材２０に回動自在に支持されることで、本体１の上部開口部を開閉可能なように取り付けられている。
【００２８】
発熱板１９の外周下部に取り付けたリング状の鍋パッキン２１は、炊飯中に鍋２内に発生する蒸気などを本体１の内部空間へ流出させないように、鍋２と蓋３との隙間を塞ぐように配置されている。
【００２９】
発熱板１９の上面の一部には、その温度を検知するための蓋温度センサ２２が圧接されている。また、発熱板１９の中央部には鍋２内の蒸気を炊飯器外部に排出するための蒸気通路孔２３が設けられている。
【００３０】
蓋３の中央部を貫通する貫通穴２４には略円筒形状の蒸気筒２５が炊飯器外部から嵌め込まれている。
【００３１】
この蒸気筒２５には、鍋２内から蒸気通路孔２３を通って排出される蒸気を本体１の外部へ排出できるように蒸気排出孔２６が設けられている。
【００３２】
鍋底温度センサ５は、コイルベース９上に設けられ鍋２を支持するためのセンサバネ２７によって付勢されることにより、鍋２の底部２ａ中央部に外接可能に配置されている。
【００３３】
この鍋底温度センサ５は、炊飯、及び保温時の鍋温度を検知することで、制御部６が鍋２内の被加熱物（米飯）を最適な温度状態に制御できるように設置されている。
【００３４】
蓋３の内部で蓋温度センサ２２の上方には、制御部６、操作基板２８、情報入力部２９、及び表示部の一例である表示板３０設置されている。
【００３５】
外蓋部１７は、炊飯器外部から表示板３認可能にする表示窓３１と、器外部から押圧することで情報入力部２９の入力ボタンを押圧することができる操作パネル３２と設けられている。
【００３６】
情報入力部２９は図３に示すように、炊飯情報入力部の一例である情報入力ボタンを備えている。
【００３７】
入力ボタンは、硬さ入力ボタン２９ａ、及び新米度入力ボタン２９ｂから構成されている。
【００３８】
硬さ入力ボタン２９ａは、「コシヒカリ」や「あきたこまち」等の銘柄などによって異なる組織の硬さを、組織の硬さによって「柔らかい米」、「普通米」、「硬い米」の３つに分類することで、入力できるようにしたものである。
【００３９】
なお、ここで、「柔らかい米」、「普通米」、「硬い米」の分類は、２０℃及び糊化温度帯の７０℃で１０分浸水させたときの吸水率の違いにより行っている。
【００４０】
組織の「柔らかい米」とは、２０℃で１０分浸水時の吸水率が１０％以上で、かつ７０℃で１０分浸水時の吸水率が２０％以上の米をいい、例えばコシヒカリが挙げられる。
【００４１】
組織の硬さが「普通米」であるとは、２０℃で１０分浸水時の吸水率が１０％以上で、かつ７０℃で１０分浸水時の吸水率が２０％未満の米をいい、例えば「日本晴」が挙げらよう。
【００４２】
組織の「硬い米」とは、２０℃で１０分浸水時の吸水率が１０％未満の米をいい、例えば「きらら３９７」が挙げられる。
【００４３】
米は常温での吸水率が高いほど粒の中まで水が浸透し、柔らかいごはんに炊き上がるが、糊化温度帯での吸水率が高いほど、糊化開始温度が低いため、べちゃつきやすいという特徴を持っている。
【００４４】
新米度入力ボタン２９ｂは、米の収穫からの経過期間に応じて、米の新米度を入力できるボタンである。
【００４５】
すなわち、収穫からの経過期間が３ヶ月未満の米を「新米」、３ヶ月以上の米を「古米」として、そのいずれかを入力できるように構成している。
【００４６】
図２のように、制御部７は、硬さ入力ボタン２９ａ、及び新米度入力ボタン２９ｂで入力された炊飯情報と鍋底温度センサ５、及び蓋温度センサ２２の検知温度とに基づいて、加熱制御部６を制御して、炊飯動作を行う炊飯制御部７ｂと、この炊飯制御部７ｂの炊飯動作の終了を検知して硬さ入力ボタン２９ａ、及び新米度入力ボタン２９ｂで入力された炊飯情報と鍋底温度センサ５及び蓋温度センサ２２の検知温度とに基づいて、加熱制御部６を制御して、炊飯された米飯の保温温度を制御する保温温度制御部７ｃを備えている。なお、制御部７は、別途設けられた計時部３３により、炊飯及び保温における各工程の所要時間を制御している。
【００４７】
前記構成において、保温モードは通常保温温度（第１保温温度、例えば７０℃〜７４℃の範囲内の温度）より低い低温保温温度（第２保温温度、例えば５５℃〜６９℃の範囲内の温度）と、通常保温温度より高い高温保温温度（第３保温温度、例えば７４℃〜９５℃の範囲内の温度）とを交互に繰り返した後、通常保温温度に移行する第１保温モードの一例である標準保温モードで構成されている。
【００４８】
図４は、標準保温モードにおける鍋温度及び米飯の温度の変位の一例を示している。
【００４９】
「魚沼産コシヒカリ」等の組織の「柔らかい米」は、保温温度が低いと表面のべとつきが進展し、保温時の食感が悪くなるため、特に保温工程で最も高温になる高温保温温度で保温する工程において、通常より高温（例えば８０℃〜９５℃）にすることにより、べとつきの進展を低減することができる。
【００５０】
一方、「標準的なコシヒカリ」や「日本晴」等の「普通米」や、「きらら３９７」等の組織の「硬い米」は、組織の「柔らかい米」よりも吸水率が低く、保温中に乾燥して硬くなるため、特に保温工程で最も高温になる高温保温温度を低く（例えば７４℃〜８０℃）することにより、乾燥を防ぐことができる。
【００５１】
このため、保温温度制御部７ｃは、使用者が硬さ入力ボタン２９ａにより、「柔らかい米」を入力した場合、高温保温温度を高く可変（例えば８０℃〜９５℃）し、「柔らかい米」以外、つまり「普通米」又は「硬い米」を入力した場合、高温保温温度を低く可変（例えば７４℃〜８０℃）するように構成されている。
【００５２】
この際、高温保温温度が低く可変された場合の総消費電力量は、高温保温温度が可変されない場合、および高く可変された場合に比べて低くなることは言うまでもない。
【００５３】
また、米は収穫からの経過期間が長くなればなるほど、米の周りに脂肪酸が多く発生することが知られている。
【００５４】
脂肪酸は保温中に酸化されて異臭を発生する原因となるので、古米の場合は、この酸化
反応を抑えてできるだけ異臭の発生を抑える必要がある。
【００５５】
したがって、収穫からの経過期間が短い「新米」は、特に保温工程で最も高温になる高温保温温度で保温する工程において、通常より高温（例えば８０℃〜９５℃）での保温が適しており、収穫からの経過期間が長い「古米」は保温工程で最も高温になる高温保温温度を低く（例えば７４℃〜８０℃）しての保温が適している。
【００５６】
このため、保温温度制御部７ｃは、使用者が新米度入力ボタン２９ｂにより「新米」を入力した場合、高温保温温度を高く可変（例えば８０℃〜９５℃）し、「新米」以外、つまり「古米」を入力した場合、高温保温温度を低く可変（例えば７４℃〜８０℃）するように構成されている。
【００５７】
なお、使用者が複数の炊飯情報に基づいて、硬さ入力ボタン２９ａ、及び新米度入力ボタン２９ｂの中から複数の入力ボタンを押圧した場合、保温温度制御部７ｃは、押圧された硬さ入力ボタン２９ａ、及び新米度入力ボタン２９ｂにより入力される炊飯情報のうち、１つでも高温保温温度が高温での保温が適した炊飯情報が入力された場合には高温保温温度を高く可変（例えば８０℃〜９５℃）し、全て高温保温温度が低温での保温が適した炊飯情報が入力された場合のみ、高温保温温度を低く可変（例えば７４℃〜８０℃）するように構成されている。
【００５８】
例えば、炊飯する米の情報が、「コシヒカリ」、及び「収穫からの経過期間が３ヶ月以上」であり、使用者が、硬さ入力ボタン２９ａにより「普通米」、新米度入力ボタン２９ｂにより「古米」を入力した場合、全ての炊飯情報が低温での保温が適した炊飯情報であるので、保温温度制御部７ｃは、高温保温温度を低く可変（例えば７４℃〜８０℃）するように構成されている。
【００５９】
情報入力部２９は更に、炊飯ボタン３４と切ボタン３５とを備えている。炊飯ボタン３４は、押圧されると保温温度制御部７ｃに炊飯等の動作の開始を指示し、切ボタン３５は、押圧されると各操作の取消等を指示する。
【００６０】
表示板３０は、情報入力部２９により入力された炊飯情報や日時などを表示するものである。
【００６１】
なお、表示板３０には、可変された高温保温温度や、その高温保温温度による総消費電力量なども併せて表示可能にすることが好ましい。
【００６２】
また、表示板３０は、保温開始から現在までの累積消費電力量を演算する累積消費電力量演算部を備えて、その累積消費電力量を表示可能にしてもよい。
【００６３】
このように構成することで、使用者に、正しく高温保温温度が選択されているか確認させることができるとともに、省エネを促すことができる。また、使用電力料金を表示させることでも省エネを促すことができる。
【００６４】
上記のように構成される実施の形態１の炊飯器によれば、炊飯開始前に使用者が硬さ入力ボタン２９ａ、及び新米度入力ボタン２９ｂにより入力した炊飯情報に応じて、保温温度制御部７ｃにより高温保温温度を可変するので、炊飯開始前に入力された炊飯情報に応じて、それに適した高温保温温度が選択される。
【００６５】
したがって、米飯の腐敗及び保温による食味劣化をさらに効果的に低減させることができる。また、総消費電力量も効果的に減らすことができる。
【００６６】
なお、前記実施の形態１の炊飯器においては、使用者が、炊飯する米を「新米」、「古米」と判断し、入力するように構成したが、別途カレンダー機能を備えて、カレンダーの日付により「新米」、「古米」を自動的に選択するように構成してもよい。
【００６７】
例えば、米の収穫時期を９月１５日であると仮定して、カレンダーの日付が９月１６日から１２月１５日の間であるなら「新米」、それ以外であるなら「古米」を自動的に選択するように構成してもよい。
【００６８】
また、加熱ユニット４を底内コイル１０、底外コイル１１、側面コイル１２、及び蓋コイル１３で構成し、鍋２内の被調理物を、鍋底側、鍋側面側、鍋２の上部開口部を覆う蓋３側から加熱するように構成したが、本発明はこれには限定されない。
【００６９】
加熱ユニット４は、少なくとも鍋底側を加熱する鍋底加熱手段３６を備えておればよい。すなわち、底内コイル１０又は底外コイル１１を備えておればよい。
【００７０】
また、加熱ユニット４を全て、誘導コイルにより構成したが、コイルに限られず、ヒータや、ヒータとコイルとの組合せなどにより構成されても構わない。
【００７１】
（実施の形態２）
図５は本発明の実施の形態２を示し、予備浸水入力ボタン２９ｃをさらに付加した点で実施の形態１とは異なるものである。なお、図３と同作用を行う部分については実施の形態１の説明を援用する。
【００７２】
予備浸水入力ボタン２９ｃは情報入力部２９の一部に設けられている。ここで、予備浸水とは、鍋２に米と水を入れてから炊飯開始までの間に予め米に水を吸水させることをいう。
【００７３】
実施の形態２においては、使用者が、米に水を１０分以上吸水させた場合を予備浸水「有」、その吸水が１０分未満である場合を予備浸水「無」としている。
【００７４】
予備浸水が有る場合、浸水工程開始時にはすでに米が吸水しているため、浸水工程で水温が５０℃〜６０℃に上がることにより米表面においては糊化がわずかに始まってしまい、浸漬時間が長くなると米表面が糊状になり、粒の崩れた食味の悪いごはんになってしまう。
【００７５】
このため、予備浸水した米は、炊き上がりの含水率が高くなる傾向があり、保温時にべたつくため、特に保温工程で最も高温になる高温保温温度で保温する工程において、通常より高温（例えば８０℃〜９５℃）での保温が適している。
【００７６】
一方、予備浸水せずに直ぐに炊飯する米は、高温保温温度を低く（例えば７４℃〜８０℃）しての保温が適している。
【００７７】
このため、保温温度制御部７ｃは、使用者が予備浸水入力ボタン２９ｃにより、予備浸水「有」を入力した場合、高温保温温度を高く可変（例えば８０℃〜９５℃）し、予備浸水「無」を入力した場合、高温保温温度を低く可変（例えば７４℃〜８０℃）するようになっている。
【００７８】
上記のように実施の形態２の炊飯器によれば、予備浸水の有無を入力できる予備浸水入力ボタン２９ｃを備えて、予備浸水の有無に応じて高温保温温度を可変するように構成し
ているので、使用者自身が炊飯する米の保温時の性能を正確に把握する必要はない。
【００７９】
したがって、米飯の腐敗及び保温による食味劣化をさらに効果的に低減させることができる。また、総消費電力量も効果的に減らすことができる。
【００８０】
なお、上述したように米飯に適する保温温度は、炊き上がりの含水率に応じて異なり、その炊き上がりの含水率は、使用する水の温度によっても左右される。
【００８１】
その使用する水の温度は、加熱ユニット４による鍋加熱動作開始前において、その水を入れた鍋２の温度と相関関係にある。つまり、炊飯工程で糊化を進行させる前に予め米に吸水させておく浸水工程は、浸水工程開始前の水の水温が例えば２０℃程度と考えて、浸水工程終了時、最適な吸水状態となるように設定されているので、鍋加熱動作開始時において、鍋２の温度が高い状態で炊飯した米は、浸水工程中に僅かに糊化し崩れて、炊き上がりの含水率が高く、保温時にべたつくため、特に保温工程で最も高温になる高温保温温度で保温する工程において、通常より高温（例えば８０℃〜９５℃）での保温が適する一方、鍋２の温度が低い状態で炊飯した米は、浸水工程が終了しても十分な吸水状態が得られていない状態なので、炊き上がりの含水率が低いため、乾燥を防止するために高温保温温度を低く（例えば７４℃〜８０℃）しての保温が適する。
【００８２】
このため、鍋底温度センサ５により検知された鍋温度が、予め設定された温度以上であれば、保温温度制御部７ｃが高温保温温度を高く可変（例えば８０℃〜９５℃）するとともに、予め設定された温度未満であれば、保温温度制御部７ｃが高温保温温度を低く可変（例えば７４℃〜８０℃）するように構成してもよい。
【００８３】
このように構成することによって、鍋温度に適した高温保温温度が選択されるので、使用者自身が鍋２内に入れた水の温度を測って、それに適した高温保温温度を選択する必要はない。
【００８４】
したがって、米飯の腐敗及び保温による食味劣化をさらに効果的に低減させることができる。また、総消費電力量も効果的に減らすことができる。
【００８５】
（実施の形態３）
本発明の実施の形態３を図６及び図７を用いて説明する。
【００８６】
実施の形態３にかかる炊飯器は、炊飯量判定部３６をさらに有する点で、前記の実施の形態と異なる。それ以外の点においては、実施の形態１と同様であるので、説明は実施の形態１のものを援用する。
【００８７】
炊飯量判定部３６は、炊飯中の鍋底温度センサ５より検知された鍋温度の単位時間当たりの変化に基づいて、米飯の炊飯量を判定するよう構成されている。
【００８８】
より具体的には、炊飯量判定部３６は、加熱ユニット４により予め設定した火力で一定時間、加熱された鍋２の温度上昇率を算出することにより、米飯の炊飯量が予め設定された量以上であるかどうかを判定するよう構成されている。
【００８９】
また、米飯は、その保温量が多過ぎると、高温保温温度まで、温度上昇させなければならないが、保温量が多過ぎると、温まりにくいので、高温保温温度に到達するまでに時間を要し、その間に腐敗してしまうということになる。
【００９０】
また、保温量が少ないと、温まりやすいため、高温保温温度まで短時間で到達するため
、米飯が乾燥してしまうことになる。
【００９１】
したがって、実施の形態３において、保温温度制御部７ｃは、炊飯量判定部３６が米飯の炊飯量が予め設定された量以上であると判定した場合には、高温保温温度を高く可変（例えば８０℃〜９５℃）するように構成され、米飯の炊飯量が予め設定された量未満であると判定した場合には、高温保温温度を低く可変（例えば７４℃〜８０℃）するように構成されている。
【００９２】
次に、上記のように構成された実施の形態３の炊飯器における保温モードの選択フローを図７を参照しつつ説明する。
【００９３】
まず、使用者が情報入力部２９により炊飯する米の、硬さ情報、新米度情報、及び予備浸水情報を含む炊飯情報を入力した後、炊飯工程開始を指示する炊飯ボタン３４を押圧する（ステップ１）。
【００９４】
次いで、保温温度制御部７ｃは、入力された炊飯情報の中の米の硬さ情報が「普通米」又は「硬い米」である場合にはステップＳ３に進み、「柔らかい」である場合にはステップＳ８に進む（ステップＳ２）。
【００９５】
次いで、保温温度制御部７ｃは、入力された炊飯情報の中の、米の新米度情報が「新米」以外、つまり「古米」である場合にはステップＳ４に進み、「新米」である場合にはステップＳ８に進む（ステップＳ３）。
【００９６】
次いで、保温温度制御部７ｃは、入力された炊飯情報の中の、予備浸水情報が予備浸水「無」である場合にはステップＳ５に進み、予備浸水「有」の場合にはステップＳ８に進む（ステップＳ４）。
【００９７】
なお、上記ステップＳ２〜Ｓ４は順序が入れ替わっても構わない。
【００９８】
次いで、入力された上記炊飯情報が「普通米又は硬い米」、「古米」、及び予備浸水「無」であった場合、保温温度制御部７ｃは、鍋底温度センサ５により、鍋加熱動作開始時の鍋温度情報を取得する（ステップＳ５）。
【００９９】
次いで、保温温度制御部７ｃは、取得した鍋加熱動作開始時の鍋温度情報が予め設定された温度（例えば２５℃）未満であるかどうかを判定する（ステップＳ６）。
【０１００】
鍋加熱動作開始時の鍋温度情報が予め設定された温度（例えば２５℃）未満であった場合、保温温度制御部７ｃは、高温保温温度を低く可変する（ステップＳ７）。一方、鍋加熱動作開始時の鍋温度情報が予め設定された温度以上であった場合、保温温度制御部７ｃは、高温保温温度を高く可変する（ステップＳ８）。
【０１０１】
次いで、炊飯量判定部３６が、鍋底温度センサ５により検知した鍋温度の単位時間当たりの変化、つまり、鍋２の温度上昇率を算出（ステップＳ９、Ｓ１０）する。次いで、ステップＳ７において高温保温温度が低く可変されている場合には、炊飯量判定部３６が算出した鍋２の温度上昇率に基づいて炊飯量が予め設定された量未満であるかどうかを判定する（ステップＳ１１）。
【０１０２】
なお、算出した鍋２の温度上昇率の情報は、炊飯工程時に、炊飯量に応じた加熱を行うためにも用いられる。
【０１０３】
判定された米飯の炊飯量が予め設定された量未満であった場合、保温温度制御部７ｃは、高温保温温度は低く可変したままとし、また、判定された米飯の炊飯量が予め設定された量以上であった場合、保温温度制御部７ｃは、高温保温温度を高く可変する（ステップＳ１２）。
【０１０４】
以上のようにして、保温温度制御部７ｃにより、高温保温温度が保温開始前に可変される。
【０１０５】
本実施の形態の炊飯器によれば、炊飯中の鍋底温度センサ５より検知された鍋温度の単位時間当たりの変化に基づいて、米飯の炊飯量を判定する炊飯量判定部３６を備え、炊飯量判定部３６が米飯の炊飯量が予め設定された量以上であると判定した場合には、高温保温温度を高く可変し、予め設定された量未満であると判定した場合には高温保温温度を高く可変するようにしているので、炊飯量に応じて、それに適した高温保温温度に選択される。
【０１０６】
したがって、米飯の腐敗及び保温による食味劣化をさらに効果的に低減させることができる。また、総消費電力量も効果的に減らすことができる。
【０１０７】
なお、上記では、予め設定した火力で一定時間、加熱された鍋２の温度上昇率を算出することにより、米飯の炊飯量を判定したが、本発明はこれに限定されるものではなく、任意の他の方法により、米飯の炊飯量を判定するよう構成してもよい。
【０１０８】
（実施の形態４）
本発明の実施の形態４にかかるジャー炊飯器を図８〜図１０を用いて説明する。
【０１０９】
実施の形態４にかかる炊飯器は、保温モード自動選択部３７を有する点、および、蒸気筒２５に代えて、蓋開閉検知部３８を有する点で前記の実施の形態と異なる。それ以外の点においては、これまで述べた実施の形態と同様であるので、具体的な説明は実施の形態１〜３のものを援用する。
【０１１０】
蓋開閉検知部３８は、蒸気筒３９、マグネット４０、及びリードスイッチ４１で構成されている。
【０１１１】
蒸気筒３９は、図８に示すように、ほぼ円筒形状を有し、貫通穴２４に炊飯器外部から嵌め込まれている。
【０１１２】
蒸気筒３９には、ヒンジ軸３ａから遠ざかるにつれて下方に傾斜する傾斜部４２が形成されており、この傾斜部４２上に、球形のマグネット４０が転がって動けるように配置されている。
【０１１３】
マグネット４０は、蓋３が閉められた時にはヒンジ軸３ａから遠い位置（図８中、実線で示す位置）に位置し、蓋３が開けられた時には傾斜部４２を転がり、ヒンジ軸３ａに近い位置（図８中、点線で示す位置）に移動する。
【０１１４】
蓋３の内部の上記遠い位置近傍には、リードスイッチ４１が設置されている。リードスイッチ４１は、蓋３の開閉によってマグネット４０が傾斜部４２に沿って転がって、上記遠い位置から離れたり、近付いたりすることにより、ＯＮ、ＯＦＦする。
【０１１５】
このリードスイッチ４１のＯＮ、ＯＦＦにより、蓋３の開閉状態を検知することが可能となっている。
【０１１６】
一般的に使用者は、炊飯終了後、米飯をほぐしたり、小分けにして食べたりするために、保温途中で一度は蓋３を開閉するものと考えられ、蓋３の開閉によって鍋２内の熱が炊飯器外部に逃げ、米飯の温度が下がって、米飯が腐敗しやすくなる。
【０１１７】
このため、本実施の形態においては、高温保温温度を標準保温モードより低く設定した第２保温モードで保温開始後、蓋開閉検知部３８が蓋３の開閉状態を検知したとき、保温モード自動選択部３７が、高温保温温度を標準保温モードへ戻すことで、保温開始から予め設定された時間（例えば１２時間）までの総消費電力量を第２保温モードよりも多くした標準保温モードに、自動的に切り替え選択するように構成されている。
【０１１８】
次に、上記のように構成される実施の形態４の炊飯器における保温モードの切り替え選択のフローを図１０を参照しつつ説明する。
【０１１９】
なお、保温開始前の高温保温温度の可変フローは、上述した実施の形態３の選択フローと同様であるので重複部分については実施の形態３のものを援用する。
【０１２０】
保温モード自動選択部３７は、保温中、蓋開閉検知部３８が蓋３の開閉があったことを検知（ステップＳ３１）した場合、現在の保温モードの情報を取得する（ステップＳ３２）。
【０１２１】
現在の保温モードが標準保温モードである場合、保温モード自動選択部３７は、保温モードを切り替えないか、或いは標準保温モードを再選択する。
【０１２２】
一方、現在の保温モードが第２保温モードである場合、保温モード自動選択部３７は、保温モードを第２保温モードから標準保温モードに切り替え選択する（ステップＳ３３）。
【０１２３】
以上のようにして、保温モード自動選択部３７により、保温中に保温モードが自動的に切り替え選択される。
【０１２４】
このように実施の形態４の炊飯器によれば、蓋３の開閉を検知する蓋開閉検知部３８を備え、保温モード自動選択部３７により保温開始前に自動選択された保温モードが第２保温モードであり、且つ蓋を開けられたことを検知したとき、保温モード自動選択部３７が自動的に、高温保温温度の温度のみを標準保温モードより低くすることで、保温開始から予め設定された時間（例えば１２時間）までの総消費電力量を第２保温モードよりも多くした標準保温モードに切り替え選択するように構成しているで、蓋開閉後の加熱ユニット４の加熱量が増え、米飯の温度が上がり、米飯の腐敗を防ぐことができる。
【０１２５】
また、自動的に第２保温モードから標準保温モードに切り替わるように構成しているので、使用者の手間を省いて、負担を軽減するとともに、米飯の腐敗及び保温による食味劣化をさらに効果的に低減させることができる。
【０１２６】
また、必要なとき（蓋開閉時）のみ、自動的に標準保温モードに切り替え、通常は総消費電力量の少ない第２保温モードで保温するように構成しているので、省エネを効率良く達成することができる。
【０１２７】
なお、上記において蓋開閉検知部３８は、一例として、蒸気筒３９、マグネット４０、及びリードスイッチ４１で構成したが、本発明はこれに限られるものではなく、任意の他の構成により蓋３の開閉を検知するよう構成してもよい。
【０１２８】
（実施の形態５）
本発明の実施の形態５にかかる炊飯器を図１１、図１２を用いて説明する。
【０１２９】
実施の形態５にかかる炊飯器は、浸水時間計時部４３を有する点で前記の実施の形態４と異なる。それ以外の点においては実施の形態４と同様であるので、具体的な説明は実施の形態４のものを援用する。
【０１３０】
使用者が米を炊飯するときには、炊飯工程開始を指示する炊飯ボタン３４を押す前に必ず、米と水を入れた鍋２を本体１内にセットするために、蓋３を開閉する動作が必要である。
【０１３１】
一方、本体１内にセットされた鍋２内の米と水は、セット後、すぐに炊飯されるとは限らない。例えば、使用者が外出から帰宅したときに、すぐに炊きたてのごはんが食べたいと思った時には、外出する前に予め、帰宅時間に合わせて炊飯予約がされることも考えられる。このような場合には、浸水時間が予め設定された時間以上となる可能性が高いと考えられる。
【０１３２】
このため、浸水時間計時部４３は、蓋開閉検知部３８が蓋３が閉じられたことを検知してから、炊飯工程開始を指示する炊飯ボタン３４が押されるまでの時間を計測するように構成されている。
【０１３３】
また、保温モード自動選択部３７は、浸水時間計時部４３が計測した計時時間が、予め設定された時間（例えば１０分）以上であれば予備浸水「有」と判断して標準保温モードを自動的に選択し、予め設定された時間（例えば１０分）未満であれば予備浸水「無」と判断して第２保温モードを自動的に選択するように構成されている。
【０１３４】
次に、上記のように構成された炊飯器における保温モードの選択のフローを図１２を参照しつつ説明する。
【０１３５】
なお、上述した実施の形態４の選択フローと同様であるフローについてはその説明を援用する。
【０１３６】
浸水時間計時部４３は、炊飯工程開始前に、蓋開閉検知部３８が蓋３の開閉があったことを検知（ステップＳ４１）した場合、計時時間を初期化して（ステップＳ４２）、蓋３の開閉を検知したときからの時間をカウントしていく（ステップＳ４３）。
【０１３７】
次いで、炊飯ボタン３４が押圧された場合（ステップＳ４４）、保温モード自動選択部３７は、浸水時間計時部４３の計時時間を読み出す（ステップＳ４６）。
【０１３８】
一方、炊飯ボタン３４が押圧されず（ステップＳ４４）、再び蓋開閉検知部３８が蓋３の開閉があったことを検知（ステップＳ４５）した場合、浸水時間計時部４３は計時時間を初期化する。
【０１３９】
次いで、保温モード自動選択部３７は、読み出した浸水時間計時部４３の計時時間が予め設定された時間以上であるかどうかを判定し（ステップＳ４７）、予め設定された時間以上であれば標準保温モードを自動的に選択し（ステップＳ４８）、予め設定された時間未満であれば第２保温モードを自動的に選択する（ステップＳ４９）。
【０１４０】
以上のようにして、保温モード自動選択部３７により炊飯工程開始前に保温モードが自
動的に選択される。
【０１４１】
本実施の形態の炊飯器によれば、予備浸水の有無を、蓋開閉検知部３８により蓋３の開閉を検知してから炊飯工程開始を指示する炊飯ボタン３４が押されるまでの時間により、判断している。
【０１４２】
これにより、先の実施の形態２では必要であった使用者自らが炊飯する米の予備浸水の有無を判断する必要性も無くすことが可能になる。
【０１４３】
したがって、使用者の負担を軽減するとともに、米飯の腐敗及び保温による食味劣化をさらに効果的に低減させることができる。また、総消費電力量も効果的に減らすことができる。
【０１４４】
なお、炊飯器内に被加熱物を入れた鍋をセットした後にプラグが差し込まれるなどして、電源ＯＮ状態になってから炊飯ボタン３４が押されるまでの間に、蓋３の開閉が行われないこともあり得る。このような場合に備えて、プラグが差し込まれたことを検知する検知部をさらに設け、浸水時間計時部４３が前記検知部がプラグを差し込まれたことを検知してから、炊飯ボタン３４が押されるまでの時間を計測するように構成してもよい。
【産業上の利用可能性】
【０１４５】
本発明にかかるジャー炊飯器は、米飯の腐敗及び保温による食味劣化をさらに効果的に低減させることのできるジャー炊飯器を提供することができるので、保温機能を有する炊飯器として有用である。
【図面の簡単な説明】
【０１４６】
【図１】本発明の実施の形態１にかかるジャー炊飯器の断面図
【図２】本発明の実施の形態１にかかるジャー炊飯器の制御部関連の構成を示すブロック図
【図３】本発明の実施の形態１にかかるジャー炊飯器の操作パネルの上面図
【図４】標準保温モードにおける保温温度の変化を示すグラフ
【図５】本発明の実施の形態２にかかるジャー炊飯器の操作パネルの上面図
【図６】本発明の実施の形態３にかかるジャー炊飯器の制御部関連の構成を示すブロック図
【図７】本発明の実施の形態３にかかるジャー炊飯器の高温保温温度の可変フローを示すフローチャート
【図８】本発明の実施の形態４にかかるジャー炊飯器の断面図
【図９】本発明の４にかかるジャー炊飯器の制御部関連の構成を示すブロック図
【図１０】本発明の実施の形態４にかかるジャー炊飯器の保温モードの選択フローを示すフローチャート
【図１１】本発明の実施の形態５にかかるジャー炊飯器の制御部関連の構成を示すブロック図
【図１２】本発明の実施の形態５にかかるジャー炊飯器の保温モードの選択フローを示すフローチャート
【符号の説明】
【０１４７】
１  本体
２  鍋
３  蓋
４  加熱ユニット
５  鍋温度検知センサ（鍋底温度センサ）
６  加熱制御部
２９ａ  炊飯情報入力部（炊飯情報入力ボタン）
３６  炊飯量判定部
３８  蓋開閉検知部
【図１】
2010082302.tif 000003
【図２】
2010082302.tif 000004
【図３】
2010082302.tif 000005
【図４】
2010082302.tif 000006
【図５】
2010082302.tif 000007
【図６】
2010082302.tif 000008
【図７】
2010082302.tif 000009
【図８】
2010082302.tif 000010
【図９】
2010082302.tif 000011
【図１０】
2010082302.tif 000012
【図１１】
2010082302.tif 000013
【図１２】
2010082302.tif 000014